(57)【要約】【課題】表示部に表示されるコンテンツの切り替えが、複数段階の処理を経て行われる場合でも、様々なコンテンツを素早く切り替え表示可能にする。【解決手段】情報処理装置１０は、表示部１２と、情報処理装置１０の動きを検出する動き検出部（加速度センサー１５、角速度センサー１６、判定部２２）と、動き検出部により情報処理装置１０の予め定められた動きが検出されると、予め定められた順序に従って、表示部１２に表示されるコンテンツを、現在表示中のコンテンツの次ページのコンテンツに切り替える制御部２１と、を備え、各段階の途中で、動き検出部により情報処理装置１０の予め定められた第１動きが検出されると、制御部２１は、当該段階の終了後、次ページのコンテンツへの切り替えを中止し、表示部１２に表示されるコンテンツを次ページのコンテンツの更に次ページのコンテンツに切り替える。【選択図】図２
2019160088.tif 000002
【特許請求の範囲】
【請求項１】
表示部と、
本情報処理装置の動きを検出する動き検出部と、
前記動き検出部により前記情報処理装置の予め定められた第１動きが検出されると、予め定められた順序に従って、前記表示部に表示されるコンテンツを、現在表示中のコンテンツの次ページのコンテンツに切り替える制御部と、を備え、
前記制御部は、
前記次ページのコンテンツへの切り替えを、複数段階からなる処理を経て行い、
各段階の途中で、前記動き検出部により前記情報処理装置の前記予め定められた第１動きが検出されると、
前記第１動きが検出された時点で実行している段階の処理の終了後に、前記次ページのコンテンツへの切り替えを中止し、前記次ページのコンテンツの更に次ページのコンテンツへの切り替えのための複数段階からなる処理を開始する情報処理装置。
【請求項２】
前記複数段階からなる処理の途中で、前記動き検出部により前記情報処理装置の予め定められた第２動きが検出されると、
前記制御部は、前記第２動きが検出された時点で実行している段階の処理の終了後に、前記次ページのコンテンツへの切り替えを中止し、前記次ページのコンテンツの前ページのコンテンツへの切り替えのための複数段階からなる処理を開始する請求項１に記載の情報処理装置。
【請求項３】
前記予め定められた第２動きは、前記予め定められた第１動きと直交する方向への移動である請求項２に記載の情報処理装置。
【請求項４】
前記情報処理装置は、携帯可能なカード型である請求項１乃至請求項３のいずれかに記載の情報処理装置。
【発明の詳細な説明】
【技術分野】
【０００１】
本発明は、表示部を備える携帯可能な情報処理装置に関し、特に、表示部に表示されるコンテンツを切り替える技術に関する。
【背景技術】
【０００２】
情報処理装置には、画像を表示部に表示する際に、当該装置の傾きを検出して、この検出した傾きに応じて表示部における画像の表示の向きを変更するものがある（特許文献１及び特許文献２を参照）。また、このような情報処理装置として、装置の傾きを検出して、この検出した傾きに応じて表示部における情報の画面レイアウトを変更するものもある（特許文献３を参照）。
【０００３】
更に、上記のように装置の傾きに応じて表示部における画像の表示の向きを変更しながらも、操作者によって当該装置が振られたときに当該振れの加速度が予め定められた値よりも大きい場合には、表示部における表示の向きの変更を禁止するものがある（特許文献４を参照）。
【先行技術文献】
【特許文献】
【０００４】
【特許文献１】特許第５４２３８９４号公報
【特許文献２】特開２０１２−０１４０２２号公報
【特許文献３】特開２０１２−２４７９５９号公報
【特許文献４】特開２０１０−１９３０６６号公報
【発明の概要】
【発明が解決しようとする課題】
【０００５】
ここで、社員証などのＩＤカードに代えて、上記のような情報処理装置を用いることが考えられる。ただし、ＩＤカードは、対面する他人に、会社名、氏名、顔写真、所属部署などのユーザー情報（コンテンツ）を見せる必要があるため、情報処理装置をＩＤカードの代わりとして用いる場合は、上記ユーザー情報を表示部に表示させることが求められると共に、更に、他の様々なコンテンツ（例えば、予定表、クーポン）を表示部に切り替えて表示可能にすることも望まれる。
【０００６】
様々なコンテンツを表示部に切り替えて表示するには、上記特許文献１乃至４に記載されているように、装置の傾きに応じて、表示部に表示されるコンテンツを切り替えるといった方法が挙げられる。
【０００７】
しかしながら、予め定められた順序に従って、表示部に表示されるコンテンツを順次切り替える場合、ユーザーが望むコンテンツが表示部に表示されるまでに長い時間が掛かってしまい、ユーザーの利便性を損なう可能性がある。
【０００８】
例えば、あるコンテンツから別のコンテンツへの切り替えが、複数段階からなる処理を経ることが必要な場合、切り替えに要する時間が長くなる。複数の段階を経てコンテンツの表示の切り替えを行う理由の一つは、ノイズが表示画像に現れるなどの不具合が生じるのを避けるためである。
【０００９】
例えば、上記処理のためにコンテンツの切り替えに要する時間が３秒であれば、表示部に表示されるコンテンツを３ページ先のコンテンツに切り替える場合には、少なくとも９秒の時間が必要になる。また、ユーザーの望むコンテンツよりも先のページのコンテンツに誤って切り替えてしまい、表示部の表示をユーザーの望むコンテンツに戻すような場合にも、上記と同様に長い時間が必要となる。
【００１０】
本発明は、上記の事情に鑑みなされたものであり、表示部に表示されるコンテンツの切り替えが、複数段階の処理を経る必要がある場合でも、様々なコンテンツを素早く切り替え表示可能にすることを目的とする。
【課題を解決するための手段】
【００１１】
本発明の一局面に係る情報処理装置は、表示部と、本情報処理装置の動きを検出する動き検出部と、前記動き検出部により前記情報処理装置の予め定められた第１動きが検出されると、予め定められた順序に従って、前記表示部に表示されるコンテンツを、現在表示中のコンテンツの次ページのコンテンツに切り替える制御部と、を備え、前記制御部は、前記次ページのコンテンツへの切り替えを、複数段階からなる処理を経て行い、各段階の途中で、前記動き検出部により前記情報処理装置の前記予め定められた第１動きが検出されると、前記第１動きが検出された時点で実行している段階の処理の終了後に、前記次ページのコンテンツへの切り替えを中止し、前記次ページのコンテンツの更に次ページのコンテンツへの切り替えのための複数段階からなる処理を開始するものである。
【発明の効果】
【００１２】
本発明によれば、表示部に表示されるコンテンツの切り替えが、複数の段階を経て行われるようになっていても、途中の段階を省略するため、切り替え時間の短縮を図り、様々なコンテンツを素早く切り替え表示可能となる。
【図面の簡単な説明】
【００１３】
【図１】本発明の一実施形態に係る情報処理装置の外観を示す平面図である。
【図２】本実施形態に係る情報処理装置の内部構成を示すブロック図である。
【図３】（Ａ）は情報処理装置の横方向の往復移動を示す斜視図であり、（Ｂ）は情報処理装置の縦方向の往復移動を示す斜視図である。
【図４】表示部に切り替え表示されるコンテンツを示す図である。
【図５】表示部に表示されるコンテンツが切り替わる過程の一例を説明するための説明図である。
【図６】情報処理装置の制御ユニットで行われる処理を示すフローチャートである。
【図７】（Ａ）乃至（Ｃ）は、表示部に表示されるコンテンツが切り替わる過程の一例を説明するための説明図である。
【図８】表示部に表示されるコンテンツが切り替わる過程の一例を説明するための説明図である。
【発明を実施するための形態】
【００１４】
以下、本発明の実施形態について図面を参照して説明する。図１は、本発明の一実施形態に係る情報処理装置の外観を示す斜視図である。図２は、本実施形態に係る情報処理装置の内部構成を示すブロック図である。
【００１５】
本実施形態の情報処理装置１０は、携帯可能なカード型で、例えば社員証などのＩＤカードの代わりに用いられる。情報処理装置１０は、制御ユニット１１と、表示部１２と、記憶部１３と、通信部１４と、加速度センサー１５と、角速度センサー１６とを備えている。これらの構成要素は、互いにバスを通じてデータ又は信号の送受信が可能とされている。
【００１６】
表示部１２は、液晶ディスプレイ（ＬＣＤ：Liquid Crystal Display）や有機ＥＬ（ＯＬＥＤ：Organic Light-Emitting Diode）、電子ペーパーなどから構成される。
【００１７】
記憶部１３は、大容量の書き換え可能な不揮発性メモリー（ＥＥＰＲＯＭなど）等であって、表示部１２に表示される複数のコンテンツを記憶している。
【００１８】
通信部１４は、通信インターフェイスであって、外部の発信機（ビーコン）やサーバーなどとの間でデータ通信を行う。
【００１９】
加速度センサー１５は、既知の３軸の加速度センサーであり、情報処理装置１０（特に表示部１２）のＸ軸、Ｙ軸、Ｚ軸の３方向の加速度を検出して、３方向の加速度を示すそれぞれの検出信号ＸＳ，ＹＳ，ＺＳを出力する。加速度センサー１５が情報処理装置１０に内蔵されているので、この加速度センサー１５により情報処理装置１０に作用した３方向の加速度が検出されることとなる。
【００２０】
角速度センサー１６は、既知の角速度センサーであり、情報処理装置１０（特に表示部１２）の基準軸周りの回転角度を検出する。角速度センサー１６が情報処理装置１０に内蔵されているので、この角速度センサー１６により基準軸周りの情報処理装置１０の回転角度が検出されることとなる。また、ここでは、２つの角速度センサー１６が設けられている。一方の角速度センサー１６は、情報処理装置１０の横方向Ｈの回転を検出し、その回転角度を示す検出信号ＨＳを出力する。他方の角速度センサー１６は、情報処理装置１０の縦方向Ｖの回転を検出し、その回転角度を示す検出信号ＶＳを出力する。
【００２１】
制御ユニット１１は、プロセッサー、ＲＡＭ（Random Access Memory）、及びＲＯＭ（Read Only Memory）などから構成される。プロセッサーは、ＣＰＵ（Central Processing Unit）、ＭＰＵ（Micro Processing Unit）、又はＡＳＩＣ（Application Specific Integrated Circuit）等である。制御ユニット１１は、上記のＲＯＭ又は記憶部１３に記憶された制御プログラムが上記プロセッサーで実行されることにより、制御部２１、判定部２２、及び通信制御部２３として機能する。なお、制御ユニット１１の上記の各構成要素は、前述の制御プログラムに基づく動作によらず、それぞれハード回路により構成されてもよい。
【００２２】
制御部２１は、全体的な動作制御を行うが、主に表示部１２の表示制御を行う。通信制御部２３は、通信部１４の通信動作を制御する。
【００２３】
判定部２２は、加速度センサー１５から各検出信号ＸＳ，ＹＳ，ＺＳ、及び２つの角速度センサー１６から検出信号ＨＳ，ＶＳを受け取って、これらの検出信号に基づき、情報処理装置１０の向き及び変位を演算して、情報処理装置１０の動きを検出する。なお、本実施形態では、図１に示すように表示部１２及び情報処理装置１０は一体化されているため、ここでいう情報処理装置１０の向き及び変位は、表示部１２の向き及び変位でもある。
【００２４】
判定部２２は、例えば、加速度センサー１５により検出される検出信号ＸＳ、すなわち情報処理装置１０の横方向Ｈの揺れ（揺動）に基づき、情報処理装置１０の図３（Ａ）に示す横方向Ｈの往復移動ＨＭを判定し、加速度センサー１５により検出される検出信号ＹＳ、すなわち情報処理装置１０の縦方向Ｖの揺れ（揺動）に基づき、情報処理装置１０の図３（Ｂ）に示す縦方向Ｖの往復移動ＶＭを判定する。なお、横方向Ｈの往復移動ＨＭは、特許請求の範囲における予め定められた第１動きの一例であり、横方向Ｈの往復移動ＨＭと直交する、縦方向Ｖの往復移動ＶＭは、特許請求の範囲における予め定められた第２動きの一例である。本実施形態では、加速度センサー１５及び判定部２２が、特許請求の範囲における動き検出部に相当する。
【００２５】
なお、特許請求の範囲における第１動き及び第２動きを、角速度センサー１６からの検出信号に基づいて判定する場合は、角速度センサー１６及び判定部２２が、特許請求の範囲における動き検出部に相当することになる。更に、加速度センサー１５からの各検出信号と、角速度センサー１６からの検出信号の両方に基づいて判定する場合は、加速度センサー１５及び角速度センサー１６及び判定部２２が、特許請求の範囲における動き検出部に相当することになる。
【００２６】
このような構成の情報処理装置１０では、複数のコンテンツが記憶部１３に予め記憶されており、ユーザーが情報処理装置１０を起動させると、制御部２１は、予め初期画面として登録されているコンテンツ（例えば、図４（Ａ）に示すような、会社名や会社のロゴが中央部に大きく表示されたコンテンツＣ_1）を表示部１２に表示させる。
【００２７】
例えば、表示部１２にコンテンツが表示されている状態で、判定部２２により情報処理装置１０の横方向Ｈの往復移動ＨＭが検出されると、制御部２１は、予め定められた順序（複数のコンテンツを表示する場合における各コンテンツの表示順。例えば、記憶部１３に記憶されている）に従って、現在表示中のコンテンツの次ページのコンテンツを記憶部１３から読み出し、表示部１２に表示されるコンテンツを、読み出したコンテンツに切り替える。この場合、情報処理装置１０の横方向Ｈの往復移動ＨＭは、次ページへの切り替えイベントとなる。
【００２８】
図４（Ａ）乃至（Ｆ）は、制御部２１が、表示部１２に切り替えて表示するそれぞれのコンテンツＣ_1乃至Ｃ_Nを示している。図４（Ａ）のコンテンツＣ_1は、初期画面を示し、図４（Ｂ）のコンテンツＣ_2は、社員証を示し、図４（Ｃ）のコンテンツＣ_3は、予定表を示し、図４（Ｄ）のコンテンツＣ_4は、クーポンを示し、図４（Ｅ）のコンテンツＣ_N-1は、第１グラフを示し、図４（Ｆ）のコンテンツＣ_Nは、第２グラフを示している。なお、第１グラフや第２グラフとしては、ユーザーの毎日の歩数など、健康に関するデータのグラフが挙げられる。
【００２９】
また、制御部２１は、表示部１２に表示されるコンテンツの切り替えを、複数段階からなる処理を経て行う。例えば、コンテンツＣＡから当該コンテンツＣＡの次ページであるコンテンツＣＢへ切り替える際、図５に示すように、制御部２１は、第１段階の処理終了後、途中画像ＴＢ１を表示部１２に表示させ、第２段階の処理終了後、途中画像ＴＢ２を表示部１２に表示させ、そして、第３段階の処理終了後、コンテンツＣＢを表示部１２に表示させる。すなわち、第３段階の処理終了がコンテンツの表示切り替え処理の完了となる。
【００３０】
なお、複数段階からなる処理を経てコンテンツの表示の切り替えを行う理由の一つは、ノイズが表示画像に現れるなどの不具合が生じるのを避けるためである。
【００３１】
次に、情報処理装置１０の動きに応じて表示部１２に表示されるコンテンツを切り替えるための処理を、図６に示すフローチャートを参照して説明する。なお、この処理は、表示部１２にコンテンツが表示されている状態で、判定部２２により情報処理装置１０の横方向Ｈの往復移動ＨＭが検出された場合に行われる処理（すなわち、次ページへの切り替えイベントが発生した場合に行われる処理）である。
【００３２】
判定部２２により情報処理装置１０の横方向Ｈの往復移動ＨＭが検出されると、制御部２１は、予め定められた順序に従って、現在表示中のコンテンツの次ページのコンテンツを記憶部１３から読み出し（Ｓ１）、表示部１２に表示されるコンテンツを、読み出したコンテンツに切り替える処理の実行（上記第１乃至第３段階までの処理）を開始する（Ｓ２）。
【００３３】
続いて、制御部２１は、表示部１２に表示するコンテンツの切り替え処理（上記第１乃至第３段階までの処理）の実行中に、判定部２２により情報処理装置１０の横方向Ｈ（Ｘ軸方向）の往復移動ＨＭが検出されたかを判断する（Ｓ３）。
【００３４】
制御部２１は、上記第１乃至第３段階までの処理の途中で、判定部２２により情報処理装置１０の横方向Ｈの往復移動ＨＭが検出されたと判断した場合（Ｓ３でＹＥＳ）、上記第１乃至第３段階までの処理のうち、当該検出時に実行されていた処理が終了したか否かを判断する（Ｓ４）。例えば、第１段階の処理の途中で、横方向Ｈの往復移動ＨＭが検出された場合、制御部２１は、当該第１段階の処理が終了したかを判断し、第２段階の処理の途中で、横方向Ｈの往復移動ＨＭが検出された場合、制御部２１は、当該第２段階の処理が終了したかを判断する。
【００３５】
制御部２１は、上記検出時に実行されていた処理が終了したと判断すると（Ｓ４でＹＥＳ）、この時点で、上記Ｓ２で開始した表示部１２に表示するコンテンツの切り替え処理を中止し（Ｓ５）、上記予め定められた順序に従って、表示予定であったコンテンツの次ページのコンテンツを記憶部１３から読み出し（Ｓ６）、表示部１２に表示されるコンテンツを、読み出したコンテンツに切り替える処理を行う（Ｓ２）。
【００３６】
図７（Ａ）乃至（Ｃ）は、表示部１２に表示されるコンテンツが切り替わる過程の一例を説明するための説明図である。コンテンツＣＡからコンテンツＣＢへ表示を切り替える途中（図７（Ａ）では、第１段階の途中、図７（Ｂ）では、第２段階の途中）で、横方向Ｈの往復移動ＨＭが検出される（次ページへの切り替えイベントが発生する）と、図７（Ａ）では第１段階の処理終了後に、図７（Ｂ）では第２段階の処理終了後に、コンテンツＣＢの次ページのコンテンツＣＣへ表示を切り替える処理が行われる。そして、新たな第１段階の処理終了後、途中画像ＴＣ１が表示部１２に表示され、同第２段階の処理終了後、途中画像ＴＣ２が表示部１２に表示され、そして、同第３段階の処理終了後、コンテンツＣＣが表示部１２に表示される。すなわち、制御部２１は、コンテンツＣＢ（図５）へ切り替えるための第２段階の処理や第３段階の処理を省略する。
【００３７】
更に、コンテンツＣＣへ表示を切り替える途中（図７（Ｃ）では、第１段階の途中）で、横方向Ｈの往復移動ＨＭが更に発生すると、制御部２１は、第１段階の処理終了後、コンテンツＣＣの更に次ページであるコンテンツＣＤへ表示を切り替える処理の実行を開始する。そして、制御部２１は、新たな第１段階の処理終了後、途中画像ＴＤ１を表示部１２に表示させ、同第２段階の処理終了後、途中画像ＴＤ２を表示部１２に表示させ、そして、同第３段階の処理終了後、コンテンツＣＤを表示部１２に表示させる。
【００３８】
一方、図６のＳ３において、制御部２１は、上記第１乃至第３段階までの処理の途中で、判定部２２により情報処理装置１０の横方向Ｈの往復移動ＨＭが検出されていないと判断した場合（Ｓ３でＮＯ）、表示部１２に表示するコンテンツの切り替え処理（上記第１乃至第３段階までの処理）の実行中に、判定部２２により情報処理装置１０の縦方向Ｖの往復移動ＶＭが検出されたかを判断する（Ｓ７）。
【００３９】
制御部２１は、上記第１乃至第３段階までの処理の途中で、判定部２２により情報処理装置１０の縦方向Ｖ（Ｙ軸方向）の往復移動ＶＭが検出されたと判断した場合（Ｓ７でＹＥＳ）、上記Ｓ４と同様に、当該往復移動ＶＭの検出時に実行されていた処理が終了したかを判断する（Ｓ８）。
【００４０】
制御部２１は、当該往復移動ＶＭの検出時に実行されていた処理が終了したと判断すると（Ｓ８でＹＥＳ）、上記Ｓ２で開始した表示部１２に表示するコンテンツの切り替え処理を中止し（Ｓ９）、上記予め定められた順序に従って、表示予定であったコンテンツの前ページのコンテンツを記憶部１３から読み出し（Ｓ１０）、表示部１２に表示されるコンテンツを、読み出したコンテンツに切り替える処理を行う（Ｓ２）。従って、情報処理装置１０の縦方向Ｖの往復移動ＶＭは、次ページへの切り替えキャンセルイベントとなる。
【００４１】
図８は、表示部１２に表示されるコンテンツが切り替わる過程の一例を説明するための説明図である。制御部２１は、コンテンツＣＡからコンテンツＣＢへ表示を切り替える途中（ここでは、第２段階の途中）で、縦方向Ｖの往復移動ＶＭが検出される（次ページへの切り替えキャンセルイベントが発生する）と、第２段階の処理終了後、コンテンツＣＢの前ページのコンテンツＣＡへ表示を切り替える処理の実行を開始する。そして、制御部２１は、新たな第１段階の処理終了後、途中画像ＴＡ１を表示部１２に表示させ、同第２段階の処理終了後、途中画像ＴＡ２を表示部１２に表示させ、そして、同第３段階の処理終了後、コンテンツＣＡを表示部１２に表示させる。
【００４２】
一方、図６のＳ７において、制御部２１は、上記第１乃至第３段階までの処理の途中で、判定部２２により情報処理装置１０の縦方向Ｖの往復移動ＶＭが検出されていないと判断した場合（Ｓ７でＮＯ）、制御部２１は、表示部１２に表示するコンテンツの切り替え処理が完了したか否かを判断し（Ｓ１１）、上記切り替え処理が完了したと判断した場合（Ｓ１１でＹＥＳ）、この処理を終了し、上記切り替え処理が完了してないと判断した場合（Ｓ１１でＮＯ）、処理はＳ３に戻る。
【００４３】
上記実施形態によれば、情報処理装置１０の動きに応じて、コンテンツＣ_1乃至Ｃ_N（社員証、予定表、クーポン、第１グラフ、及び第２グラフ）等が切り替え表示される。このため、情報処理装置１０をＩＤカードとして使用して社員証を表示すると共に、更に、様々なコンテンツを容易に切り替えて表示することができる。
【００４４】
そして、表示部１２に表示されるコンテンツの切り替えが、複数段階からなる処理を経て行われるようになっていても、途中の段階の処理を省略するので、切り替え時間の短縮を図り、様々なコンテンツを素早く切り替え表示することが可能となる。
【００４５】
なお、上記実施形態では、記憶部１３に予め記憶されている複数のコンテンツを切り替え表示しているが、外部の発信機（ビーコンなど）から送信されたコンテンツを情報処理装置１０の通信部１４で受信して、制御部２１が、受信した各コンテンツを記憶部１３に記憶させ、情報処理装置１０の動きに応じて、コンテンツを記憶部１３から読み出して、表示部１２に表示させるようにしてもよい。
【００４６】
例えば、食堂や会議室などに設置された発信機から食堂や会議室の情報（コンテンツ）が情報処理装置１０に送信されると、情報処理装置１０では、このコンテンツを通信部１４で受信する。制御部２１は、このコンテンツを記憶部１３に記憶させ、表示部１２に表示させるための処理を行う。
【００４７】
あるいは、制御部２１は、コンテンツを、通信制御部２３及び通信部１４を通じて外部のサーバーから受信して、このコンテンツを記憶部１３に記憶させ、情報処理装置１０の動きに応じて、コンテンツを記憶部１３から読み出して、表示部１２に表示させるものとしてもよい。
【００４８】
また、図１乃至図８を用いて説明した上記実施形態の構成は、本発明の一例に過ぎず、本発明を当該構成に限定する趣旨ではない。
【符号の説明】
【００４９】
１０    情報処理装置
１１    制御ユニット
１２    表示部
１５    加速度センサー
１６    角速度センサー
２１    制御部
２２    判定部
【図１】
2019160088.tif 000003
【図２】
2019160088.tif 000004
【図３】
2019160088.tif 000005
【図４】
2019160088.tif 000006
【図５】
2019160088.tif 000007
【図６】
2019160088.tif 000008
【図７】
2019160088.tif 000009
【図８】
2019160088.tif 000010